(57)【要約】      （修正有）【課題】災害時において１日分の衣類などを過不足なく備え、日数に応じて必要数を揃えることができる持ち運び簡単な１日分の災害用衣料の包装体を提供する。【解決手段】１日に必要なタオル、シャツ、パンツ、靴下等の必要衣類を個別に圧縮固化して圧縮成形した複数の圧縮品５をパッケージ体６内に積層状態に収納し、この１日分の必要なパッケージ体６を所望の日数分を携帯して災害用の備蓄品とした１日分の災害用衣料の包装体である。【選択図】図２
0003144041.tif 000002
【実用新案登録請求の範囲】
【請求項１】
１日に必要なタオル、シャツ、パンツ、靴下等の必要衣類を個別に圧縮固化して圧縮成形した複数の圧縮品をパッケージ体内に積層状態に収納し、この１日分の必要なパッケージ体を所望の日数分を携帯して災害用の備蓄品としたことを特徴とする１日分の災害用衣料の包装体。
【請求項２】
前記パッケージ体を筒形状の収納缶とし、この収納缶に円柱形状に圧縮成形した衣類用圧縮品を多段に積層収納させた請求項１に記載の１日分の災害用衣料の包装体。
【考案の詳細な説明】
【技術分野】
【０００１】
本考案は、地震や台風、火災などの災害時に現地で使用し、コンパクトで容易に持ち運び可能な１日分の災害用衣料の包装体に関する。
【背景技術】
【０００２】
通常、地震や台風、火災などの災害現場や、避難所、救護所に向かう救助隊やボランティア活動隊等の作業者は、交換用の下着等の衣類を自分自身で準備する必要がある。この場合、各作業者は、予定する活動日数に合わせて必要な数のタオル、シャツ、パンツ、靴下等を準備し、これらを折り畳んでバッグ等に収納して現地まで持ち運ぶようにするのが一般的である。しかし、衣料を折り畳んで収納すると嵩が増えて持ち運びに不便である。
【０００３】
このため、これらの衣類等をコンパクトに収納して容易に持ち運びできるようにしたものがある。衣類をコンパクト化できるものとしては、例えば、特許文献１に開示された圧縮非常用品セットがある。この圧縮非常用品セットは、一対の履物、非常用巾着袋、非常用晒木綿、非常用Ｔシャツ、非常用軍手の中から選んだ非常用品を重積し、これをタオルで包んで第１ユニットを形成し、選択されなかった非常用品の少なくとも１点以上を重ねて第２ユニットを形成し、第１ユニットと第２ユニットとを重ねてその外側をバスタオルで包んで直方体状に圧縮固化して非常用品ユニットを形成し、この非常用品ユニットを包装フィルムで包んだものである。
【０００４】
また、特許文献２においては、タオル層、布層、軍手層を折り畳み、これらを一体に圧縮固化して固化ブロックを設け、この固化ブロックを巾着袋とともに透明シート袋に挿入した非常用圧縮セットが開示されている。
【０００５】
【特許文献１】実用新案登録第３１０９９８０号公報
【特許文献２】実用新案登録第３１１７４９０号公報
【考案の開示】
【考案が解決しようとする課題】
【０００６】
しかしながら、特許文献１及び２は、被災者が災害時に非常用品として避難所まで持ち出して使用することが主な目的になっている。同文献１、２は、非常用軍手や巾着袋を備えてはいるものの、１日に必要な衣類等が必ずしも備わっている訳ではなく、作業者は、この中に含まれていない必要衣類を別に準備する必要がある。
【０００７】
また、これらは、上記のように軍手等の非常用品も一体に圧縮固化されているため、全体が嵩張って持ち運び難いという問題があった。
これらの理由により、作業者にとって１日に必要な衣類等がコンパクトな状態に納まり、災害時の活動日数に応じて必要数を準備可能であり、容易に携帯できる非常用衣類が待ち望まれていた。
【０００８】
本考案は、上記の実情に鑑みて、鋭意検討の結果、開発に至ったものであり、その目的とするところは、災害時において１日分の衣類などを過不足なく備え、日数に応じて必要数を揃えることができる持ち運び簡単な１日分の災害用衣料の包装体を提供することにある。
【課題を解決するための手段】
【０００９】
上記目的を達成するために、請求項１に係る考案は、１日に必要なタオル、シャツ、パンツ、靴下等の必要衣類を個別に圧縮固化して圧縮成形した複数の圧縮品をパッケージ体内に積層状態に収納し、この１日分の必要なパッケージ体を所望の日数分を携帯して災害用の備蓄品とした１日分の災害用衣料の包装体である。
【００１０】
請求項２に係る考案は、パッケージ体を筒形状の収納缶とし、この収納缶に円柱形状に圧縮成形した衣類用圧縮品を多段に積層収納させた１日分の災害用衣料の包装体である。
【考案の効果】
【００１１】
請求項１に係る考案によると、災害時において１日分の衣類を過不足なく備え、持ち運び簡単な１日分の災害用衣料の包装体である。しかも、被災地等への滞在日数や作業者の人数等に応じて必要数を予め揃えることが可能な１日分の災害用衣料の包装体である。
【００１２】
請求項２に係る考案によると、全体をコンパクト化してパッケージでき、携帯性に優れると共に、密封性にも優れ、水に濡れることを衣類としての機能を確保でき得る１日分の災害用衣料の包装体である。また、必要な圧縮品だけを選択して無駄なく使用でき、省資源化の点でも優れている。
【考案を実施するための最良の形態】
【００１３】
本考案における１日分の災害用衣料の包装体の一実施形態並びに作用を図面に基づいて説明する。
図１ないし図３において、本考案の１日分の災害用衣料の包装体は、１日に必要なタオル１、シャツ２、パンツ３、靴下４等の必要衣類を個別に圧縮固化して複数の圧縮品５を圧縮成形し、この圧縮品５をパッケージ体６内に積層状態に収納したものである。そして、この１日分の必要なパッケージ体６を所望の日数を携帯して災害用の備蓄品としたものである。
【００１４】
図１（ａ）〜図１（ｄ）に示すように、タオル１、シャツ２、パンツ３、靴下４は、綿などの一般的な素材により適宜のサイズに製造されている。このタオル１、シャツ２、パンツ３、靴下４は、所定の状態に折り畳まれた後に、例えば、図示しないプレス機で圧縮固化されて、圧縮品５である圧縮タオル７、圧縮シャツ８、圧縮パンツ９、圧縮靴下１０が個別に形成される。圧縮品５は、それぞれ平面略同形状の円柱形状に成形される。
【００１５】
図４（ａ）に示すように、圧縮品５は、側面側と上面、下面側がビニール等の樹脂製包装体１１により包装される。また、圧縮品６の上面側には表示体１２が貼り付けられている。表示体１２は、例えば、紙製であり、表面側に表示部１３が設けられている。表示部１３には、各圧縮品名が記され、例えば、図２に示すように、「圧縮タオル」、「圧縮シャツ」、「圧縮パンツ」、「圧縮靴下」のように表示されることで包装体１１を開けることなく外部から圧縮品５の中身を視認できるようになっている。
【００１６】
表示体１２は、図４（ｂ）に示すように、包装体１１の内側に設けられてもよく、このようにすると、包装体１１を開けるまで表示体１２が自然に剥がれたりすることがない。また、図のように、表示体１２を圧縮品５の上下面側の両方に設けるようにすれば、圧縮品５を裏返すことなくその内容を容易に確認できる。
【００１７】
図２、３において、パッケージ体６は、筒形状の収納缶であり、蓋体１５と収納体１６とから成っている。収納体１６は、圧縮品５よりもやや拡径して略円筒状に形成され、内部には収納部１７が設けられている。収納体の図示しない高さは、圧縮タオル７、圧縮シャツ８、圧縮パンツ９、圧縮靴下１０を積み重ねた高さよりも高く設けられ、収納体１６にはこれら衣類用圧縮品５が多段に積層収納されている。また、蓋体１５は、収納体１６と略同径に形成され、その下部側には環状の嵌合突部１８が設けられている。嵌合突部１８は、収納体１６の開口側に嵌め込み可能な外径に形成され、収納部１７に圧縮品５が収納された状態で収納体１６に嵌め込まれている。
【００１８】
本考案の１日分の災害用衣料の包装体は、１日に必要なタオル１、シャツ２、パンツ３、靴下４等の必要衣類を個別に圧縮固化して圧縮成形した複数の圧縮品５をパッケージ体６内に積層状態に収納し、この１日分の必要なパッケージ体６を所望の日数分を携帯して災害用の備蓄品としているので、作業者は、１日に必要な衣類等を、必要な日数分に応じて簡単にまとめて揃えることができる。
しかも、この１日分の災害用衣料の包装体はコンパクト性に優れ、作業者は、必要衣類を荷物内の狭いスペースに収納して容易に持ち運ぶことができる。
【００１９】
更に、例えば、災害復旧活動時等において、パッケージ体６を所望の日数分×所望の人数分準備しておき、これを作業者に提供すれば、作業者による必要衣類の準備や現地までの持ち運びを省略することができる。
【００２０】
使用時においては、作業者は、収納体１６から蓋体１５を外して使用する圧縮品５を取り出し、この圧縮品５から表示体１２と包装体１１とを取外した後に、圧縮品５を手で解すだけで容易に使用できる。このとき、各圧縮品５は、個別に包装されているため、作業者は、必要な圧縮品５のみの包装を開けて使用でき、例えば、全ての圧縮品が一体に圧縮固化されている場合のように必要の無い衣類等まで解すことがない。このため、使用しなかった圧縮品５を再度利用でき、省資源化の点でも優れている。
【００２１】
また、圧縮品５は、金属製の収納缶６内に収納されているので、この収納缶６によって圧縮品５が一体にまとまった状態に維持されることは勿論、コンパクト性が発揮されて保管も容易であり、更に、密封性も発揮されて圧縮品５が水などにより濡れることが防がれる。
【００２２】
なお、上記実施形態においては、圧縮品５を略円柱形状に形成しているが、この圧縮品５は、任意の形状に形成することもできる。この場合、各圧縮品を平面略同形状とし、この圧縮品を積層可能な形状に形成することで、上記と同様にこの圧縮品を積み重ねて任意の形状のパッケージ体にパッケージすることが可能になる。また、パッケージ体は、圧縮品を横に並べた状態で収納可能な形状に設けてもよい。
【００２３】
また、上記実施形態においては、圧縮タオル７、圧縮シャツ８、圧縮パンツ９、圧縮靴下１０を組み合わせてパッケージしているが、これらのうちの任意の圧縮品を組み合わせるか、或は、これら以外の新たな衣類等を圧縮固化したものを収納缶６に収納してパッケージしてもよい。
【００２４】
また、本考案の１日分の災害用衣料の包装体は、衣類等の圧縮品５に加えて、１日分のドライフーズ等の食糧品を収納容器にパッケージすることもでき、この場合、衣類等と食糧の１日分の生活必需品をワンパッケージで収納し、容易に現地まで持ち運ぶことができる。
【図面の簡単な説明】
【００２５】
【図１】圧縮品を示した概略斜視図である。
【図２】本考案の１日分の災害用衣料の包装体を示した分離斜視図である。
【図３】本考案の１日分の災害用衣料の包装体を示した縦断面図である。
【図４】圧縮品を示した縦断面図である。
【符号の説明】
【００２６】
１  タオル
２  シャツ
３  パンツ
４  靴下
５  圧縮品
６  収納缶（パッケージ体）
【図１】
0003144041.tif 000003
【図２】
0003144041.tif 000004
【図３】
0003144041.tif 000005
【図４】
0003144041.tif 000006